(57)【要約】【課題】  簡単な作業で伸縮させることができ、所望の長さ状態に確実に維持できる伸縮自在ベッドを提供する【解決手段】  伸縮自在ベッド１は、ヘッドフレームとフットフレーム間に伸縮自在な左右一対のサイドフレーム３０を備えており、サイドフレーム３０において、ヘッド側サイドフレーム３１と連結されたインナージョイント４１及びアウタージョイント４２に対してフット側サイドフレーム３２を進退させることにより、簡単にベッド１の全長を調節することができる。また、ヘッド側サイドフレーム３１及びフット側サイドフレーム３２に穿設された貫通孔の位置を調整することによって、ベッド１の全長を所望の単位長さ毎に調節することができる。【選択図】  図１
2005204992.tif 000002
【特許請求の範囲】
【請求項１】
幅方向に延びるヘッドフレーム及びフットフレームと、該両フレーム間で長さ方向に延びる左右一対のサイドフレームと、前記フレーム上にて寝具を下側から支持する寝具支持具とを備え、
前記サイドフレームは、前記ヘッドフレーム側に位置するヘッド側サイドフレームと、前記フットフレーム側に位置するフット側サイドフレームとを備え、
前記ヘッド側サイドフレームまたはフット側サイドフレームの一方が他方に対して進退可能であって、ヘッド側またはフット側の何れかのサイドフレームを左右でそれぞれ進退させることによって全長を調節するようにしたことを特徴とする伸縮自在ベッド。
【請求項２】
前記ヘッド側サイドフレームまたはフット側サイドフレームの一方が、他方に対して単位長さ毎に段階的に進退可能であることを特徴とする請求項１に記載の伸縮自在ベッド。
【請求項３】
前記寝具支持具は板状体であり、
該板状体は、所定の幅と前記ベッドの最短長さと略同一長さとをもって形成された本体板と、
該本体板と同じ幅と前記単位長さの整数倍の長さとをもって形成され、前記ベッド長が伸びた場合に前記本体板と協働して前記寝具を支持する長さ調節板とを備えていることを特徴とする請求項１または２に記載の伸縮自在ベッド。
【請求項４】
前記ベッドが最短の状態から長く伸ばされた場合に、前記本体板と１つの長さ調節板、もしくは前記本体板と長さの異なる複数の長さ調節板とを組み合わせることによって前記寝具支持具が構成されることを特徴とする請求項３に記載の伸縮自在ベッド。
【請求項５】
前記長さ調節板の下側に、該調節板の折れ曲がりを防止するための補強部材を設けたことを特徴とする請求項３または４に記載の伸縮自在ベッド。
【請求項６】
前記寝具支持具は、左右一対のヘッド側サイドフレーム及びフット側サイドフレームにそれぞれ固設された略矩形の網状体であり、
前記ヘッド側またはフット側の網状体の一方が他方よりも長くせり出した形状に成形されており、前記ベッド長が最短の場合は各網状体同士が上下に重なり合い、前記ベッド長が伸びるのに伴って各網状体同士の重なり面積が徐々に小さくなることを特徴とする請求項１に記載の伸縮自在ベッド。
【請求項７】
前記長さ調節板の非使用時に、該調節板を収納可能な板収納部をさらに備えたことを特徴とする請求項３乃至５の何れかに記載の伸縮自在ベッド。
【発明の詳細な説明】
【技術分野】
【０００１】
本発明は、伸縮自在ベッドに関し、詳細には、左右に位置する長さ方向フレームの長さを調節することによって伸縮可能な伸縮自在ベッドに関する。
【背景技術】
【０００２】
従来、ベッドは所定の規格に基づいて製造されており、例えば規格のベッドマットでは適合しない使用者（規格のベッドマット長では足りない程度に身長が高い使用者）に対しては、予めベッドのフレーム全長を規格寸法よりも長く設定しておき、この床部分に床板を補充する等して対処していた。また、特許文献１では、所定長さを持つ３つのベッド単位を備え、これらベッド単位がそれぞれ他のベッド単位に対して進退可能な状態に連結されたスチールパイプベッドが開示されている。このベッドでは、使用者の頭部側に位置するベッド単位から中間部に位置するベッド単位を引き出し、さらに中間部のベッド単位から使用者の足側に位置するベッド単位を引き出すことによって、ベッドの全長を伸縮させることができるようになっている。
【特許文献１】実開平２−１４３０５６号公報
【発明の開示】
【発明が解決しようとする課題】
【０００３】
しかしながら、上記の特許文献に係るベッドでは、頭部側のベッド単位から中間部のベッド単位、足側のベッド単位をそれぞれ引き出してベッド全長を長く伸ばした場合に、各ベッド単位間に段部が形成されてしまうので、ベッド使用者の寝心地が損なわれるという問題や、また、３つのベッド単位から構成されているために、長さ調節後のベッド単位同士の固定作業が繁雑であるという問題があった。
【０００４】
本発明は、上記課題を解決するためになされたものであり、簡単な作業で伸縮させることができ、所望の長さ状態に確実に維持できる伸縮自在ベッドを提供することを目的とする。
【課題を解決するための手段】
【０００５】
上記目的を達成するために、請求項１に記載の伸縮自在ベッドは、幅方向に延びるヘッドフレーム及びフットフレームと、該両フレーム間で長さ方向に延びる左右一対のサイドフレームと、前記フレーム上にて寝具を下側から支持する寝具支持具とを備え、前記サイドフレームは、前記ヘッドフレーム側に位置するヘッド側サイドフレームと、前記フットフレーム側に位置するフット側サイドフレームとを備え、前記ヘッド側サイドフレームまたはフット側サイドフレームの一方が他方に対して進退可能であって、ヘッド側またはフット側の何れかのサイドフレームを左右でそれぞれ進退させることによって全長を調節するようにしたことを特徴とする。
【０００６】
また、請求項２に記載の伸縮自在ベッドでは、請求項１に記載の伸縮自在ベッドの構成に加えて、前記ヘッド側サイドフレームまたはフット側サイドフレームの一方が、他方に対して単位長さ毎に段階的に進退可能であることを特徴とする。
【０００７】
また、請求項３に記載の伸縮自在ベッドでは、請求項１または２に記載の伸縮自在ベッドの構成に加えて、前記寝具支持具は板状体であり、該板状体は、所定の幅と前記ベッドの最短長さと略同一長さとをもって形成された本体板と、該本体板と同じ幅と前記単位長さの整数倍の長さとをもって形成され、前記ベッド長が伸びた場合に前記本体板と協働して前記寝具を支持する長さ調節板とを備えていることを特徴とする。
【０００８】
また、請求項４に記載の伸縮自在ベッドでは、請求項３に記載の伸縮自在ベッドの構成に加えて、前記ベッドが最短の状態から長く伸ばされた場合に、前記本体板と１つの長さ調節板、もしくは前記本体板と長さの異なる複数の長さ調節板とを組み合わせることによって前記寝具支持具が構成されることを特徴とする。
【０００９】
また、請求項５に記載の伸縮自在ベッドでは、請求項３または４に記載の伸縮自在ベッドの構成に加えて、前記長さ調節板の下側に、該調節板の折れ曲がりを防止するための補強部材を設けたことを特徴とする。
【００１０】
また、請求項６に記載の伸縮自在ベッドでは、請求項１に記載の伸縮自在ベッドの構成に加えて、前記寝具支持具は、左右一対のヘッド側サイドフレーム及びフット側サイドフレームにそれぞれ固設された略矩形の網状体であり、前記ヘッド側またはフット側の網状体の一方が他方よりも長くせり出した形状に成形されており、前記ベッド長が最短の場合は各網状体同士が上下に重なり合い、前記ベッド長が伸びるのに伴って各網状体同士の重なり面積が徐々に小さくなることを特徴とする。
【００１１】
また、請求項７に記載の伸縮自在ベッドでは、請求項３乃至５の何れかに記載の伸縮自在ベッドの構成に加えて、前記長さ調節板の非使用時に、該調節板を収納可能な板収納部をさらに備えたことを特徴とする。
【発明の効果】
【００１２】
本発明に係る伸縮自在ベッドは、幅方向に延びるヘッドフレーム及びフットフレームと、該両フレーム間で長さ方向に延びる左右一対のサイドフレームと、フレーム上にて寝具を下側から支持する寝具支持具とを備え、サイドフレームが、ヘッドフレーム側に位置するヘッド側サイドフレームとフットフレーム側に位置するフット側サイドフレームとを備えており、ヘッド側サイドフレームまたはフット側サイドフレームの一方が他方に対して進退可能であるので、ヘッド側またはフット側の何れかのサイドフレームを左右でそれぞれ進退させることによって、簡単にベッドの全長を調節することができる。また、ヘッド側サイドフレームまたはフット側サイドフレームの一方が、他方に対して単位長さ毎に段階的に進退可能とすることにより、ベッドの全長を所望の単位長さ毎に調節することができる。
【００１３】
また、フレーム上にて寝具を下側から支持する寝具支持具が板状体である場合、この板状体を、所定の幅と前記ベッドの最短長さと略同一長さとをもって形成された本体板と、該本体板と同じ幅及びベッド長を調節する際の単位長さの整数倍の長さとをもって形成された長さ調節板とで構成することにより、ベッド長を所望の単位長さ毎に伸ばしたとき、本体板と１つの長さ調節板、もしくは本体板と長さの異なる複数の長さ調節板とを組み合わせて寝具支持具を構成して、板状体全体で寝具を確実に支持することができる。さらに、長さ調節板の下側に補強部材を設けたことにより、この調節板の折れ曲がりを防止することができ、加えて、ベッドに長さ調節板を収納するための板収納部を設けたことにより、非使用時の長さ調節板を収納することができる。
【００１４】
また、フレーム上にて寝具を下側から支持する寝具支持具が、左右一対のヘッド側サイドフレーム及びフット側サイドフレームにそれぞれ固設された略矩形の網状体である場合、ヘッド側またはフット側の網状体の一方が他方よりも長くせり出した形状に成形されており、ベッド長が最短の場合は各網状体同士が上下に重なり合い、ベッド長が伸びるのに伴って各網状体同士の重なり面積が徐々に小さくなるようになっているので、ベッドの伸縮によらず常に下側から寝具を支持することができる。
【発明を実施するための最良の形態】
【００１５】
以下、本発明を具体化した伸縮自在ベッドの第１の実施形態について、図を参照して説明する。尚、本実施の形態では、ベッド上にて寝具を支持する寝具支持具として、合板及びウレタンフォーム等からなるマット（請求項３における「板状体」に相当する。）を用いている。まず、図１及び図２を参照して伸縮自在ベッド１（以下、単に「ベッド１」という。）の構造について説明する。図１及び図２に示すように、ベッド１は、幅方向（図中奥行き方向）に延びるヘッドフレーム２とフットフレーム３、及びヘッドフレーム２とフットフレーム３の間に延びる一対のサイドフレーム３０，３０とから構成された平面視略長方形のフレーム部材を備えており、このフレーム部材上に図示外の寝具を支持する寝具支持具であるマット５０が載置されて構成されている。
【００１６】
ヘッドフレーム２及びフットフレーム３は、それぞれ使用者の頭部、足側に位置するフレームであって、共に幅方向に長手形状となっている。詳しくは、ヘッドフレーム２は、円柱形状を有し、鉛直方向に延びる左右の鉛直部材１２と、該鉛直部材１２，１２間において上下に離間して渡設された棒状の水平部材１３，１３とから構成されており、鉛直部材１２，１２及び水平部材１３，１３に囲まれた箇所に鉛直方向に延びる複数の棒材が設けられている。また、フットフレーム３は、鉛直方向に延びる左右の鉛直部材２２，２２と、該鉛直部材２２，２２間に渡設された棒状の水平部材２３とから構成されており、ヘッドフレーム２の鉛直部材１２，１２、フットフレーム３の鉛直部材２２，２２に、水平方向に延びる互いに対称形状のサイドフレーム３０，３０がそれぞれ取り付けられている。また、ベッド１の長さ方向略中央部において、サイドフレーム３０，３０間には、幅方向に渡って延びる中間フレーム２９が渡設されている。尚、フットフレーム３の鉛直部材２２，２２においては、水平部材２３と略同一高さとなるように、サイドフレーム３０，３０が取り付けられている。
【００１７】
また、フットフレーム３と左右のサイドフレーム３０，３０とに囲まれた箇所には、後述する長さ調節用マットを下側から支持するための補強フレーム２８が固設されている。詳しくは、補強フレーム２８は、フットフレーム３からヘッドフレーム２方向に向かってベッド１の全長の略５分の１程度進んだ箇所において、サイドフレーム３０，３０間に渡って設けられた幅方向フレーム２８ａと、フットフレーム３の水平部材２３の幅方向中央部に対して左右にそれぞれ所定間隔をおいた位置から、幅方向フレーム２８ａに上側で直交するように延びた長さ方向フレーム２８ｂ，２８ｂとから構成されている。
【００１８】
次に、サイドフレーム３０，３０の構造について、図１、図３及び図４を参照して説明する。尚、図３及び図４では、左右両側に設けられたサイドフレーム３０，３０がそれぞれ略同一な対称形状であることから、片側のサイドフレーム３０のみ図示している。図１に示すように、サイドフレーム３０，３０は、それぞれヘッドフレーム２に取り付けられたヘッド側サイドフレーム３１と、フットフレーム３に取り付けられたフット側サイドフレーム３２とを備えており、これらのフレームが、後述する内側のインナージョイント４１及び外側のアウタージョイント４２に図示外のボルトで取り付けられることによって構成されている。インナージョイント４１及びアウタージョイント４２は、何れも一枚の板を曲折させて断面コの字状に形成した長尺部材であって、それぞれ水平方向に延びる上下の水平方向成分と、該水平方向成分間に位置する鉛直方向成分とを備えている。
【００１９】
図３及び図４に拡大して示すように、ヘッド側サイドフレーム３１は、上下の水平方向成分３１ａ，３１ａと左右の鉛直方向成分３１ｂ，３１ｂとを持つ断面略長方形の長尺の四角筒状部材であり、フット側サイドフレーム３２もまた、ヘッド側サイドフレーム３１と同一断面を持つ長尺の四角筒状部材である。ヘッド側サイドフレーム３１の鉛直方向成分３１ｂ，３１ｂには、所定ピッチ（本実施形態では３００ｍｍ）を空けて、２つの貫通孔６０が長尺方向において一直線上に並んだ状態で穿設されており、詳しく図示しないが、この貫通孔６０は正面視で重なるようにヘッド側サイドフレーム３１の両鉛直方向成分３１ｂ，３１ｂを貫通している。また、フット側サイドフレーム３２の鉛直方向成分３２ｂ，３２ｂには、所定ピッチ（本実施形態では１００ｍｍ）を空けて、８つの貫通孔７０が長尺方向において一直線上に並んだ状態で穿設されており、詳しく図示しないが、この貫通孔７０もまた、正面視で重なるようにフット側サイドフレーム３２の両鉛直方向成分３２ｂ，３２ｂを貫通している。さらに、一直線上に並んだ８つの貫通孔７０の内、ヘッド側（図中左側）に位置する３つの貫通孔の各間には、貫通孔７０よりも僅かに径の大きい貫通孔７１が２つ穿設されている。後述するが、この貫通孔７１には、サイドフレーム３０と中間フレーム２９との取付部がフット側サイドフレーム３２と側面視でラップしたときに、各フレーム固定用のボルトが挿入されることになる。
【００２０】
インナージョイント４１は、上述したように断面コの字状の長尺部材であって、詳細には、ヘッド側サイドフレーム３１及びフット側サイドフレーム３２の長さ方向断面に現出する長方形よりも一回り小さな長方形の１つの長辺及び２つの短辺を備えた断面形状となっている。即ち、インナージョイント４１は、１つの鉛直方向成分４１ａと、該鉛直方向成分４１ａの長手方向（長尺方向）側縁から延びた２つの水平方向成分４１ｂ，４１ｂとを備えており、鉛直方向成分４１ａの長手方向に沿って、複数の貫通孔が穿設されている。詳しくは、鉛直方向成分４１ａの長手方向略中央部には、インナージョイント４１に中間フレーム２９を垂直状態で取り付けるボルト（図示外）挿入用の貫通孔１４１が穿設されており、この貫通孔１４１から左右にそれぞれ所定長さ（本実施形態では２５０ｍｍ）だけ離間して貫通孔１４２が、そこからさらに貫通孔１４１とは反対側に３００ｍｍだけ離間して貫通孔１４３が穿設されている。即ち、インナージョイント４１の鉛直方向成分４１ａには、合計５つの貫通孔が穿設されている。尚、貫通孔１４１に対して貫通孔１４２及び１４３は小径となっている。
【００２１】
アウタージョイント４２もまた上述したように断面コの字状の長尺部材であって、詳細には、ヘッド側サイドフレーム３１及びフット側サイドフレーム３２の長さ方向断面に現出する長方形よりも一回り大きな長方形の１つの長辺及び２つの短辺を備えた断面形状となっている。即ち、アウタージョイント４２は、１つの鉛直方向成分４２ａと、該鉛直方向成分４２ａの長手方向（長尺方向）側縁から延びた２つの水平方向成分４２ｂ，４２ｂとを備えており、鉛直方向成分４２ａの長手方向に沿って、複数の貫通孔が穿設されている。詳しくは、鉛直方向成分４２ａの長手方向略中央部には、アウタージョイント４２に中間フレーム２９を垂直状態で取り付けるボルト（図示外）挿入用の貫通孔２４１が穿設されており、この貫通孔２４１に対して、上記インナージョイント４１の鉛直方向成分４１ａに穿設された貫通孔群と同様の位置関係になるように、左右にそれぞれ貫通孔２４２が、さらに左右外側に貫通孔２４３が穿設されている。尚、貫通孔２４１に対して貫通孔２４２及び２４３は小径となっている。
【００２２】
そして、図４に示すように、コの字の開口部が外側（図中手前側）を向いたインナージョイント４１に対して、その長さ方向両端部をそれぞれヘッド側サイドフレーム３１及びフット側サイドフレーム３２が自身内部に収容するように装着され、そのさらに外側から、コの字の開口部を内側（図中奥行き側）に向けたアウタージョイント４２が、インナージョイント４１、ヘッド側サイドフレーム３１及びフット側サイドフレーム３２に被せられるようにして取り付けられることによって、サイドフレーム３０が構成されることになる。詳しくは、インナージョイント４１とヘッド側サイドフレーム３１との連結は、ヘッド側サイドフレーム３１の開口部（図中右側に位置するフット側開口部）からインナージョイント４１をヘッド側サイドフレーム３１内に挿入し、ヘッド側サイドフレーム３１に穿設された２つの貫通孔６０，６０と、インナージョイント４１に穿設された５つの貫通孔の内、ヘッド側の２つの貫通孔１４２，１４３とを重ねた状態とし、さらにアウタージョイント４２を重ね合わせて、各貫通孔の重なった箇所に図示外のボルトを螺入しねじ込むことによって行われる。ヘッド側サイドフレーム３１とインナージョイント４１とは、この状態で取り付けられてヘッド側サイドフレーム３１からインナージョイント４１が進退等しないようになっている。
【００２３】
また、インナージョイント４１とフット側サイドフレーム３２との連結は、ヘッド側サイドフレーム３２の開口部（図中左側に位置するヘッド側開口部）からインナージョイント４１をフット側サイドフレーム３２内に挿入し、フット側サイドフレーム３２に穿設された８つの貫通孔７０の内、３００ｍｍ離間した任意の２つの貫通孔７０と、インナージョイント４１に穿設された５つの貫通孔の内、フット側の２つの貫通孔１４２，１４３とを重ねた状態とし、さらにアウタージョイント４２を重ね合わせて、各貫通孔の重なった箇所に図示外のボルトを螺入し、ねじ込むことによって行われる。インナージョイント４１とフット側サイドフレーム３２との連結では、フット側サイドフレーム３２に穿設された８つの貫通孔７０の内、３００ｍｍ離間した任意の２つの貫通孔７０を選択して、それをインナージョイント４１のフット側の２つの貫通孔１４２，１４３と重ね合わせるようにしており、各部材は進退可能な状態に連結されている。
【００２４】
そして、インナージョイント４１とヘッド側、フット側の各サイドフレームが連結された状態で、アウタージョイント４２を外側（図中手前側）から各フレームに被せて、アウタージョイント４２に穿設されたヘッド側の貫通孔２４２，２４３と、ヘッド側サイドフレーム３１に穿設された２つの貫通孔６０，６０と、インナージョイント４１に穿設されたヘッド側の２つの貫通孔１４２，１４３とを重ね合わせて、外側から図示外のボルトをねじ込み、同様にアウタージョイント４２に穿設されたフット側の貫通孔２４２，２４３と、フット側サイドフレーム３２にて３００ｍｍ離間した２つの貫通孔７０，７０と、インナージョイント４１に穿設されたフット側の２つの貫通孔１４２，１４３とを重ね合わせて、外側から図示外のボルトをねじ込むことによって、各部材が固定されてサイドフレーム３０が所定の長さの状態で形成されることになる。
【００２５】
このとき、アウタージョイント４２に穿設された中央の貫通孔２４１と、インナージョイント４１に穿設された中央の貫通孔１４１とは側面視で重なった状態となっており、さらにこの貫通部分に中間フレーム２９の長さ方向端面に設けられた貫通孔（図示外）を重ね合わせてそこにボルトをねじ込むことによって、サイドフレーム３０と中間フレーム２９とが連結される。ここで、図４に示す状態では、フット側サイドフレーム３２がインナージョイント４１に対して大きく伸び出した状態となっており、インナージョイント４１と中間フレーム２９との連結部が露出している。このような場合は、中間フレーム２９はインナージョイント４１及びアウタージョイント４２に取り付けられるだけであるが、図３に示すように、インナージョイント４１と中間フレーム２９との連結部が、フット側サイドフレーム３２とラップしている場合は、上述の中間フレーム２９の長さ方向端面に設けられた貫通孔に向かって、貫通孔１４１，２４１だけではなく、フット側サイドフレーム３２に穿設された貫通孔７０をも貫通してボルトをねじ込んでいくことになる。
【００２６】
次に、上側に寝具を支持するマット５０を載置した場合のベッド１の伸縮について図２、及び図５乃至９を参照して説明する。尚、以下の図５乃至７中において、アウタージョイント４２の図示は省略している。図２に示すように、ベッド１は、各フレーム上にマット５０が載置されて構成される。マット５０は平面視長方形状で、所定幅及び長さを持ったマット本体１５０（請求項における「本体板」に相当する。）を備えている。ベッド１が最短の状態（図５に示す状態）のときは、マット本体１５０のみで図示外の寝具を支持することができるが、図２、図６及び図７に示すように、インナージョイント４１とフット側サイドフレーム３２との連結箇所、即ち各部材に穿設された貫通孔の連結箇所をずらすことによってベッド１が伸ばされた状態のときは、マット本体１５０からフットフレーム３側の部分は空洞になってしまう。このような場合には、長さ調節用マット（請求項における「長さ調節板」に相当する。）を用いてこの空洞部分を塞ぐことになるが、本実施の形態では、マット本体１５０と同一幅と１００ｍｍ、２００ｍｍ及び３００ｍｍの各長さとを持つ長さ調節用マットを用いて空洞部分を塞ぐようにしている。
【００２７】
例えば、図６に示すように、ベッド１の全長を１００ｍｍ伸ばしたときは、長さ調節用マット１５１の長さが１００ｍｍに形成されているので、この長さ１００ｍｍの調節用マット１５１を用いることにより寝具を全体的に支持することができる。また、図７及び図８に示すように、インナージョイント４１とフット側サイドフレーム３２との連結箇所、即ち各部材に穿設された貫通孔の連結箇所をさらにずらすことによって、ベッド１はより長く伸ばされた状態となるが、この場合も同様に、マット本体１５０からフットフレーム３側の空洞部分上に長さ調節用マットを置くことで、寝具を確実に全体的に支持することができるようになっている。尚、図７及び図８は、図５の最短状態からベッド１の全長を５００ｍｍ伸ばした状態を示しており、この場合は長さ３００ｍｍの調節用マット１５３と長さ２００ｍｍの調節用マット１５２とを用いることにより、マットを全体的に５００ｍｍ伸ばして寝具を支持するようにしている。
【００２８】
ここで、各長さ調節用マットは、その幅に比べて長さが非常に短いため、幅方向において折れ曲がる可能性があるが、ベッド１では長さ調節用マットの下側に補強フレーム２８が配設されているのでマットの折れ曲がりを防止することができる。尚、図９に示すように、ベッド１の全長が６００ｍｍ延長されたときには、上述の各長さ調節用マット１５１〜１５３を用いて対応することができ、これら長さの異なる長さ調節用マットを用いることで、１００ｍｍから６００ｍｍまで１００ｍｍ単位でベッド全長を伸ばすことができるようになっている。また、詳しく図示しないが、ベッド１のフレーム下側に長さ調節用マットの収納部を設けることにより、非使用時の長さ調節用マットを収納しておくことができる。
【００２９】
次に、本発明を具体化した伸縮自在ベッドの第２の実施形態について、図１０を参照して説明する。尚、本実施の形態では、ベッド上にて寝具を支持する寝具支持具として、金属製等の網状体（図中においては板状部材として図示）を用いている。図９に示すように、ベッド２００では、上述のベッド１のフレーム部材（ヘッドフレーム２、フットフレーム３及びサイドフレーム３０）を用いており、その上で寝具を支持する寝具支持具の構造のみが異なっている。ベッド２００では、ヘッド側サイドフレーム３１の内側にヘッド側網状体２５１が固設されており、フット側サイドフレーム３２の内側にフット側網状体２５２が固設されている。フット側網状体２５２は、フット側サイドフレーム３２と略同一長さと、フットフレーム３と略同一幅とを持つ平面視略長方形状となっており、ヘッド側網状体２５１は、ヘッド側サイドフレーム３１よりも長い所定長さと、ヘッドフレーム２と略同一幅とを持つ平面視略長方形状となっている。即ち、フット側網状体２５２は、ベッド１のフレーム上にてその略半分の領域を塞いでおり、ヘッド側網状体２５１は、フット側網状体２５２側、詳しくはフット側網状体２５２の上側までせり出して、ベッド１のフレーム上にてその略半分よりも大きな領域を塞いでいる。
【００３０】
このような構造のベッド２００では、長さが最短のときはヘッド側網状体２５１がフット側網状体２５２上に被さった状態で、両網状体が大きくラップした状態となっており、そこから上述のような方法でベッド２００の全長を伸ばしていくのに伴い、両網状体のラップ量が減少していくことになる。ベッド２００では、その全長が最も長くなったときに両支持板が多少でもラップするように設定しておくことにより、各長さに対応して網状体で寝具（図示外）を確実に支持できるようになっている。
【００３１】
尚、本発明は上記実施の形態に限定されるものではなく、各種の変形が可能である。例えば、上記第１の実施形態では、サイドフレームにおいて、ヘッド側サイドフレームとフット側サイドフレームとの間にジョイント部材を介して、このジョイント部材に対してフット側サイドフレームを進退可能とすることによって、ベッド長を調節するようにしたが、ヘッド側サイドフレームとフット側サイドフレームとを直接連結して、何れか一方から他方が進退することによりベッド全長を調節するようにしてもよい。また、上記実施の形態では、インナージョイントに対するサイドフレームの進退量を具体的な数値をもって示したが、上記の値に限られず貫通孔の穿設位置等によって進退量は調整可能であって、またそれに合わせて長さ調節用マットの長さも変更可能なことはいうまでもない。
【００３２】
さらに、インナージョイント及びアウタージョイントに対してヘッド側サイドフレームを固定するのではなく、フット側サイドフレームを両ジョイント部材に固定して、両ジョイント部材からヘッド側サイドフレームを進退させるようにしてもよい。さらに、ベッドの全長を調節する箇所を長さ方向略中央部としたが、ヘッド側、フット側の何れかに近い箇所で長さ調節を行うことにしてもよい。
【図面の簡単な説明】
【００３３】
【図１】マット５０が載せられていない状態の伸縮自在ベッド１の全体斜視図である。
【図２】マット５０が載せられた状態の伸縮自在ベッド１の全体斜視図である。
【図３】サイドフレーム３０を拡大して示す斜視図である。
【図４】サイドフレーム３０を拡大して示す斜視図である。
【図５】伸縮自在ベッド１が最短の状態を示す側面図である。
【図６】伸縮自在ベッド１を最短の状態から１００ｍｍ伸ばした状態を示す側面図である。
【図７】伸縮自在ベッド１を最短の状態から５００ｍｍ伸ばした状態を示す側面図である。
【図８】伸縮自在ベッド１を最短の状態から５００ｍｍ伸ばした状態を示す斜視図である。
【図９】伸縮自在ベッド１を最短の状態から６００ｍｍ伸ばした状態を示す斜視図である。
【図１０】伸縮自在ベッド２００の全体斜視図である。
【符号の説明】
【００３４】
１    伸縮自在ベッド
２    ヘッドフレーム
３    フットフレーム
２８    補強フレーム
２９    中間フレーム
３０    サイドフレーム
３１    ヘッド側サイドフレーム
３２    フット側サイドフレーム
４１    インナージョイント
４２    アウタージョイント
５０    マット（板状体）
１５０    マット本体（本体板）
１５１    長さ調節用マット（長さ調節板）
２００    伸縮自在ベッド
２５１    ヘッド側網状体
２５２    フット側網状体
【図１】
2005204992.tif 000003
【図２】
2005204992.tif 000004
【図３】
2005204992.tif 000005
【図４】
2005204992.tif 000006
【図５】
2005204992.tif 000007
【図６】
2005204992.tif 000008
【図７】
2005204992.tif 000009
【図８】
2005204992.tif 000010
【図９】
2005204992.tif 000011
【図１０】
2005204992.tif 000012